(57)【要約】【課題】取付状態の異常を容易に発見できる照明機器の落下防止装置を提供する。【解決手段】被取付部１０１に照明機器１０２を固定する取付部材１と、照明機器１０２に電力を供給する電源部２と、被取付部１０１に対して固定される支持補助部３と、照明機器１０２の被取付部１０１への固定がはずれた状態において、支持補助部３に支持されて照明機器１０２を支持する落下防止部４と、照明機器１０２が、被取付部１０１に固定されなくなって落下防止部４により支持されたことを検知する検知部５と、照明機器１０２が被取付部１０１に固定されなくなった状態を検知部５が検知すると、外部報知を行う報知部６と、を備える。【選択図】図１
2013016344.tif 000002
【特許請求の範囲】
【請求項１】
被取付部に照明機器を固定する取付部材と、
前記照明機器に電力を供給する電源部と、
前記被取付部に対して固定される支持補助部と、
前記照明機器の前記被取付部への固定がはずれた状態において、前記支持補助部に支持されて当該照明機器を支持する落下防止部と、
前記照明機器が、前記被取付部に固定されなくなって前記落下防止部により支持されたことを検知する検知部と、
前記照明機器が前記被取付部に固定されなくなった状態を前記検知部が検知すると、外部報知を行う報知部と、
を備える
ことを特徴とする照明機器の落下防止装置。
【請求項２】
前記検知部は、前記支持補助部と前記照明機器とにまたがる導線を有し、前記照明機器が前記被取付部に固定されている状態では導通する当該導線が、前記照明機器が前記被取付部に固定されなくなって前記落下防止部により支持されている状態では断線することにより、前記照明機器が前記被取付部に固定されなくなったことを検知する
ことを特徴とする請求項１に記載の照明機器の落下防止装置。
【請求項３】
前記導線は、前記照明機器への供給電力を伝送する電源線であって、
前記電源部は、前記支持補助部に設置されており、前記導線の前記支持補助部側に接続されて、当該導線を介して前記照明機器に電源を供給し、前記照明機器が前記被取付部に固定されなくなった状態を前記検知部が検知した場合には、前記導線を介した前記照明機器への電源供給を行わないことによって前記照明機器を消灯させて外部報知を行う報知部となる
ことを特徴とする請求項２に記載の照明機器の落下防止装置。
【請求項４】
前記落下防止部は、前記照明機器の上部に固定されて設置され、前記照明機器が前記被取付部に固定されなくなった際に前記支持補助部に引っかかる凸部を上端に有する
ことを特徴とする請求項１〜３のいずれかに記載の照明機器の落下防止装置。
【発明の詳細な説明】
【技術分野】
【０００１】
本願発明は、照明機器の落下防止装置に関するものである。
【背景技術】
【０００２】
従来から、照明機器を二重に取り付けることによって、照明機器の落下を防止する装置が発明されてきた。例えば、特開２０１０−９９８４号公報（特許文献１）に示される、落下防止部材を備える照明装置は、ワイヤを補助に用いて照明機器の落下防止を図るものである。
【先行技術文献】
【特許文献】
【０００３】
【特許文献１】特開２０１０−９９８４号公報
【発明の概要】
【発明が解決しようとする課題】
【０００４】
しかしながら、上記特許文献１に示された従来の落下防止構造では、設置の状態によっては、落下しかけて、落下防止構造によって落下を免れている状態であっても、人に気づかれにくいことがあった。
【０００５】
本願発明は、このような従来の課題を解決するものであり、取付状態の異常を容易に発見できる照明機器の落下防止装置を提供することを目的としている。
【課題を解決するための手段】
【０００６】
上記課題を解決するために、本願発明の照明機器の落下防止装置は、取付部材と電源部と支持補助部と落下防止部と検知部と報知部とを備えることを特徴とする。取付部材は被取付部に照明機器を固定する。電源部は照明機器に電力を供給する。支持補助部は被取付部に対して固定される。落下防止部は、照明機器の被取付部への固定がはずれた状態において、支持補助部に支持されて照明機器を支持する。検知部は、照明機器が被取付部に固定されなくなって落下防止部により支持されたことを検知する。報知部は、照明機器が被取付部に固定されなくなった状態を検知部が検知すると、外部報知を行う。
【０００７】
この検知部は、支持補助部と照明機器とにまたがる導線を有してもよい。このとき検知部は、照明機器が被取付部に固定されている状態では導通する導線が、照明機器が被取付部に固定されなくなって落下防止部により支持されている状態では断線することにより、照明機器が被取付部に固定されなくなったことを検知する。
【０００８】
また、この導線は、照明機器への供給電力を伝送する電源線であってもよい。このとき電源部は、支持補助部に設置されており、導線の支持補助部側に接続されて、その導線を介して照明機器に電源を供給する。電源部は、照明機器が被取付部に固定されなくなった状態を検知部が検知した場合には、導線を介した照明機器への電源供給を行わないことによって照明機器を消灯させて外部報知を行う報知部となる。
【０００９】
落下防止部は、照明機器の上部に固定されて設置され、照明機器が被取付部に固定されなくなった際に支持補助部に引っかかる凸部を上端に有してもよい。
【発明の効果】
【００１０】
本願発明の照明機器の落下防止装置は、照明機器の被取付部への固定がはずれた場合、落下防止部が照明機器を保持し、さらに外部報知を行う。このため、取付状態の異常を容易に発見できるという効果がある。
【図面の簡単な説明】
【００１１】
【図１】本願発明の実施形態にかかる落下防止装置の模式断面図
【図２】本願発明の実施形態の取付部材１の斜視図
【図３】本願発明の実施形態の支持補助部３の斜視図
【図４】本願発明の実施形態の支持補助部３の断面図
【図５】本願発明の実施形態の落下防止部４の斜視図
【図６】本願発明の実施形態にかかる落下防止装置の、異常取付状態における模式断面図
【図７】本願発明の実施形態における支持補助部３の、別の取付状態を示す断面図
【図８】本願発明の実施形態にかかる落下防止装置の別の例を示す模式断面図
【発明を実施するための形態】
【００１２】
以下、本願発明に係る実施形態について図面を用いて説明する。なお、各図において同一の符号を付した構成は、同一の構成であることを示し、その説明を省略する。ただし、以下の実施形態は本願発明の実施例を示したに過ぎず、本願発明はこれに限定されるものではない。
【００１３】
＜実施形態＞
本願発明の実施形態を図１に示す。この落下防止装置は、取付部材１と電源部２と支持補助部３と落下防止部４と検知部５と報知部６とを備えることを特徴とする。取付部材１は被取付部１０１に照明機器１０２を固定する。電源部２は照明機器１０２に電力を供給する。支持補助部３は被取付部１０１に対して固定される。落下防止部４は、照明機器１０２の被取付部１０１への固定がはずれた状態において、支持補助部３に支持されて照明機器１０２を支持する。検知部５は、照明機器１０２が被取付部１０１に固定されなくなって落下防止部４により支持されたことを検知する。報知部６は、照明機器１０２が被取付部１０１に固定されなくなった状態を検知部５が検知すると、外部報知を行う。
【００１４】
この検知部５は、支持補助部３と照明機器１０２とにまたがる導線７を有する。このとき、照明機器１０２が被取付部１０１に固定されている状態では導通する導線７が、照明機器１０２が被取付部１０１に固定されなくなって落下防止部４により支持されている状態では断線する。これにより、検知部５は、照明機器１０２が被取付部１０１に固定されなくなったことを検知する。
【００１５】
また、この導線７は、照明機器１０２への供給電力を伝送する電源線７’である。このとき電源部２は、支持補助部３に設置されており、導線７の支持補助部３側に接続されて、その導線７を介して照明機器１０２に電源を供給する。電源部２は、照明機器１０２が被取付部１０１に固定されなくなった状態を検知部５が検知した場合には、導線７を介した照明機器１０２への電源供給を行わないことによって照明機器１０２を消灯させて外部報知を行う報知部６となる。
【００１６】
落下防止部４は、照明機器１０２の上部に固定されて設置され、照明機器１０２が被取付部１０１に固定されなくなった際に支持補助部３に引っかかる凸部４１を上端に有する。
【００１７】
本実施形態においては、被取付部１０１を天井とする。この落下防止装置は、照明機器１０２を取り付けるべき場所、つまり本実施形態においては天井の照明設置場所の建築躯体に、取付部材１および支持補助部３が、天井から下方に向けて取り付けられている。
【００１８】
取付部材１は、棒状に形成されているアンカーボルト１１と、アンカーボルト１１に取り付けられて照明機器１０２を支持する、リング形状の支持部１２により構成される。アンカーボルト１１は、被取付部１０１である天井に、上端が埋め込まれるように固定される。アンカーボルト１１にはおねじの溝が設けられ、支持部１２にはめねじの溝が設けられている。図２に示すように、支持部１２の輪をアンカーボルト１１に通し、ねじを締めたり弛めたりすることで、支持部１２をアンカーボルト１１に対して上下動させることができる。この取付部材１は適宜な間隔をあけて一対設けられ、並列配置されている。
【００１９】
支持補助部３は、図３に示すように、四角形の皿状に形成されている。支持補助部３には、その中心点３１に対して左右対称となる一対の貫通孔３２、３２が設けられている。また、支持補助部３には、その中心点３１のあたりに、落下防止部４の軸部４２（図５参照）が通される貫通孔３３が設けられている。なお、この貫通孔３３は、落下防止部４の凸部４１が通り抜けられない大きさまたは形状である必要がある。さらに、支持補助部３は電源線７’が通る貫通孔３４を備える。図４に示すように、支持補助部３における外周縁３５は、上方に向かって突出するように、ほぼ直角に折り曲げられている。そして、外周縁３５の上端はさらに、外側に向かってほぼ直角に折り曲げられている。図示しないが、この折り曲げられた上端にはねじ穴が設けられ、ねじ止めによって天井の建築躯体に固定される。
【００２０】
電源部２は、支持補助部３上面の貫通孔３４周辺に設置され、電源線７’および補助電源部２’を介して照明機器１０２に電源供給を行う。補助電源部２’は、照明機器１０２に設けられており、電源線７’経由で電源部２から送電される電力を照明機器１０２に供給する。
【００２１】
落下防止部４は、図５に示すように、角筒状の形状をした軸部４２の上端に凸部４１が、下端に凸部４３が設けられている。そして、下端において、照明機器１０２の上部に連結される。軸部４２は貫通孔３３に通され、照明機器１０２が取付部材１によって被取付部１０１に固定されている状態において、凸部４１は支持補助部３の上面には接触せず、図１のように支持補助部３の上面の上方に位置する。照明機器１０２が、取付部材１から離脱するなどして被取付部１０１に固定されなくなると、凸部４１が支持補助部３の上面に当たり、落下防止部４は支持補助部３から吊り下げられる。
【００２２】
電源線７’は、貫通孔３４を通って電源部２と補助電源部２’とを接続し、送電を行う。電源線７’の長さは、照明機器１０２が取付部材１によって固定されている状態では導通し、照明機器１０２が取付部材１から離脱して落下防止部４と支持補助部３によって保持されている状態では切断される長さであることが求められる。電源線７’の切断のされ方は、単純に引きちぎられるようにしてもよいし、電源部２あるいは補助電源部２’との接続部において、電源部２あるいは補助電源部２’から離脱するようにしてもよい。
【００２３】
検知部５は、本実施形態では電源線７’である。電源線７’は、照明機器１０２が取付部材１１から離脱するなどして落下防止部４と支持補助部３によって保持されている状態では、長さが足りずに切断され、これにより照明機器１０２が被取付部１０１に固定されなくなったことを検知する。
【００２４】
報知部６は、本実施形態では電源部２、補助電源部２’、電源線７’、 および照明機器１０２によって構成される。電源線７’が断線することにより照明機器１０２が被取付部１０１に固定されなくなったことが検知された状態では、電源部２から電源線７’を介してなされる補助電源部２’への給電が停止され、補助電源部２’からの照明機器１０２への給電も停止される。つまり、電源部２からの照明機器１０２への給電が停止され、照明機器１０２は消灯する、あるいは点灯しなくなる。このように、電源部２からの給電を停止して照明機器１０２を点灯させないことによって、報知部６は外部報知を行う。
【００２５】
照明機器１０２の発光部は、建築躯体に設けられた天井仕上材１０３の孔１０４から下方に向けて露出している。照明機器１０２は、図１のように、上部に有する貫通孔にアンカーボルト１１を通し、照明機器１０２の上部の下から支持部１２をアンカーボルト１１に取り付けることによって、天井に取り付けられた取付部材１に固定される。つまり、取付部材１を介して被取付部１０１である天井に固定される。このとき、支持部１２の高さを変えることによって、照明機器１０２の設置高さを調節できる。照明機器１０２の設置高さは、落下防止部４の凸部４１が、支持補助部３の上面から浮く高さである必要がある。このとき、落下防止部４の凸部４１が支持補助部３の上面に接していると、照明機器１０２が被取付部１０１に固定されなくなっても照明機器１０２の位置が変わらず、よって電源線７’も断線しなくなってしまう。
【００２６】
ここから、本実施形態の落下防止装置による、照明機器１０２の落下防止の流れを説明する。
【００２７】
まず、照明機器１０２が天井に設置された取付部材１によって固定されている状態では、電源線７’、補助電源部２’を介して電源部２から照明機器１０２に電源が供給されている。
【００２８】
経年劣化や振動等の影響で、支持部１２がアンカーボルト１１から外れたり、外れないまでも下方へ脱落したり、あるいは、アンカーボルト１１が天井から抜けたりした場合、照明機器１０２は、支持部１２による支持を失い、下方へ移動する。しかし、照明機器１０２が一定距離下方へ移動すると、図６のように、落下防止部４の凸部４１が支持補助部３の位置に来るので、凸部４１が支持補助部３に引っかかり、照明機器１０２の下降は止まる。このとき、照明機器１０２は、落下防止部４を介して支持補助部３に吊り下げられている状態となる。この状態では、照明機器１０２は落下していない。しかし、照明機器１０２が被取付部１０１に固定されなくなった、異常取付状態である。
【００２９】
電源線７’の長さは、異常取付状態において電源部２と補助電源部２’とを接続できる長さよりも短く設定されているので、異常取付状態では断線する。
【００３０】
電源線７’が断線することにより、電源部２からの照明機器１０２への給電が停止され、照明機器１０２が消灯するか、あるいは点灯しなくなり、これによって外部報知が行われる。
【００３１】
このように、本実施形態の落下防止装置は、照明機器１０２が、被取付部１０１に固定されなくなった場合、落下防止部４によって、落下しないように保持される。つまり、二重の安全構造が提供できる。
【００３２】
取付部材１は棒状のアンカーボルト１１を備え、支持部１２はアンカーボルト１１に対する上下位置を変更可能に取り付けられている。このため、照明機器１０２の設置高さを簡単に調節できる。
【００３３】
取付部材１は対で設けられているため、照明機器１０２をバランスよく設置できる。
【００３４】
支持補助部３は、外周縁３５が上方に向かって突出するように形成されているため、支持補助部３の上に溜まった埃が落下するのを抑制できる。本実施形態では、支持補助部３を、被取付部１０１である天井に、取付部材１を介してではなく直接取り付けている。これにより、取付部材１が天井から離脱した場合にも、支持補助部３は天井に固定された状態を保つことができるので、取付部材１が天井から離脱した場合にも、落下防止部４を介して照明機器１０２を支持できると期待される。
【００３５】
また、本実施形態の落下防止装置は、異常取付状態になると外部報知を行うので、照明機器１０２が被取付部１０１に固定されなくなったことを容易に発見できる。このため、不安定な取付状態のまま放置される可能性を低くし、より安全性を高められると期待できる。
【００３６】
なお、本実施形態においては、落下防止部４は、支持補助部３を貫通して設置される筒状の四角柱とした。しかし、形状はこれに限らず、また、例えば支持補助部３から吊り下げられたひもなどのように、他のものでもよい。落下防止部４は、照明機器１０２が被取付部１０１に固定されなくなったときに、照明機器１０２を、固定時よりも下の位置で、落下しないように保持できるものであればよい。
【００３７】
本実施形態の検知部５は、導線７としての電源線７’によって構成されるが、導線７は電源線７’でなくてもよい。例えば、電源線７’は導線７として設けられているのではない単なる電力伝送線であって、この電源線７’とは別に検知用の線としての導線７を設けてもよい。この場合は、照明機器１０２が被取付部１０１に固定されなくなったときに導線７が切れて、照明機器１０２が被取付部１０１に固定されなくなったことを検知する。また、検知部５は、導線７が断線すること以外によって照明機器１０２が被取付部１０１に固定されなくなったことを検知してもよい。例えば、本実施形態の落下防止部４の凸部４１の下面にセンサを設け、照明機器１０２が離脱して凸部４１が支持補助部３に吊り下げられるとセンサが反応するようにしてもよい。この場合は、電源線７’の長さは、照明機器１０２が取付部材１に固定されているときに給電可能でありさえすればよくなる。なお、これらの例のように、電源線７’を導線７として用いない場合や、導線７の断線以外によって検知を行う場合には、電源部２を支持補助部３に設置する必要はなく、また電源線７’および補助電源部２’は省略してもよい。例えば、天井配線そのものを電源部２とし、電源線７’によって直接照明機器１０２に電源供給を行ってもよいし、電池等を電源部２として照明機器１０２に直接設置し、電源供給を行うようにしてもよい。
【００３８】
報知部６は、本実施形態では電源部２、補助電源部２’、および電源線７’によって構成され、照明機器１０２を点灯させないことによって外部報知を行う。しかしながら、例えば発光素子やスピーカーなどを用いて、光や音で外部報知を行ってもよい。
【００３９】
本実施形態では、被取付部１０１を天井とし、下向きに照明機器１０２を吊り下げている。しかし、壁面などを被取付部１０１とする場合にも、この落下防止装置は有効である。つまり、壁面などを被取付部１０１とした場合にも、被取付部１０１に固定されなくなった照明機器１０２が落下しないように、落下防止部４が照明機器１０２を保持する。その際、照明機器１０２の位置が固定時と変わることによって、検知部５が異常取付状態を検知し、報知部６が外部報知を行う。
【００４０】
本実施形態においては、支持補助部３は、被取付部１０１である天井に直接固定されるものとしたが、天井に取り付けられた部材に固定されることで、間接的に天井に固定されてもよい。例えば、図７に示すように、取付部材１に第二の支持部１３を設け、照明機器１０２と同様にしてアンカーボルト１１と第二の支持部１３とで支持補助部３を被取付部１０１に固定してもよい。
【００４１】
支持補助部３は、被取付部１０１に取り付けられる別部材ではなく、図８に示すように、被取付部１０１の一部が支持補助部３であってもよい。図８に示す落下防止装置は、天井の一部である支持補助部３に、本実施形態と同様の落下防止部４が固定されている。照明機器１０２の上部には、本実施形態における支持補助部３の貫通孔３３と同様の貫通孔が設けられ、落下防止部４の軸部４２がこの貫通孔に通される。落下防止部４の下端の凸部４３は、照明機器１０２が被取付部１０１に固定されている状態では、照明機器１０２に接触しないよう、照明機器１０２の貫通孔が設けられている面の下方に位置する。そして、照明機器１０２が被取付部１０１に固定されなくなった状態では、凸部４３が、照明機器１０２の貫通孔が設けられている面に接し、照明機器１０２を支持する。なお、このとき、凸部４３の上面に例えば検知部５としてボタンスイッチを設置してもよい。凸部４３が、照明機器１０２の貫通孔が設けられている面に接して照明機器１０２を支持しているときにはボタンスイッチが押下されることにより、検知部５は照明機器１０２が被取付部１０１に固定されなくなったことを検知することができる。
【００４２】
また、本実施形態では、支持補助部３は照明機器１０２の直上にあるが、照明機器１０２が被取付部１０１に固定されなくなったときに落下防止部４を介して照明機器１０２を支持することが可能であれば、照明機器１０２の直上になくてもよい。
【符号の説明】
【００４３】
１  取付部材
２  電源部
３  支持補助部
４  落下防止部
５  検知部
６  報知部
７  導線
７’  電源線
【図１】
2013016344.tif 000003
【図２】
2013016344.tif 000004
【図３】
2013016344.tif 000005
【図４】
2013016344.tif 000006
【図５】
2013016344.tif 000007
【図６】
2013016344.tif 000008
【図７】
2013016344.tif 000009
【図８】
2013016344.tif 000010